(57)【要約】【課題】安全で故障が少なく、全天候型のかがり火または噴水を演出する電光装飾装置を提供する。【解決手段】透光性容器と、この透光性容器の流体流出口を覆って設けられた透光性カバーと、透光性容器と透光性カバーとの間に配設された透過光散乱部材とを備え、透光性容器には、内部に光源が配設され、この光源を挟んで流体流出口の反対側に流体流入部を設け、この流体流入部から流入する流体の流れにより揺動する透過光揺動部材を光源の周囲に配設してあり、透過光散乱部材は、流体流出口に設けられ、透光性容器内に設けられた流体流入部から流入する流体の流れにより回転する駆動羽根に連動して回転する。【選択図】      図１
2004362833.tif 000002
【特許請求の範囲】
【請求項１】
透光性容器と、この透光性容器の流体流出口を覆って設けられた透光性カバーと、前記透光性容器と前記透光性カバーとの間に配設された透過光散乱部材とを備えてなる電光装飾装置であって、
前記透光性容器はその内部に光源および流体流入部が設けられ、
前記透過光散乱部材は、前記流体流出口に設けられ、前記流体流入部から流入する流体の流れにより回転する駆動羽根に連動して回転することを特徴とする電光装飾装置。
【請求項２】
透光性容器と、この透光性容器の流体流出口を覆って設けられた透光性カバーとを備えてなる電光装飾装置であって、
前記透光性容器は、内部に光源が配設され、この光源を挟んで前記流体流出口の反対側に流体流入部を設け、この流体流入部から流入する流体の流れにより揺動する透過光揺動部材を前記光源の周囲に配設してなることを特徴とする電光装飾装置。
【請求項３】
前記流体流入部は、透過光揺動部材の下部に溝状に開けられた流体流入溝と、この流体流入溝に一定方向の流体流れを送る整流板と、前記溝の上を回転する転動体とを備えてなることを特徴とする請求項２記載の電光装飾装置。
【請求項４】
透光性容器と、この透光性容器の流体流出口を覆って設けられた透光性カバーと、前記透光性容器と前記透光性カバーとの間に配設された透過光散乱部材とを備えてなる電光装飾装置であって、
前記透光性容器は、内部に光源が配設され、この光源を挟んで前記流体流出口の反対側に流体流入部を設け、この流体流入部から流入する流体の流れにより揺動する透過光揺動部材を前記光源の周囲に配設してなり、
前記透過光散乱部材は、前記流体流出口に設けられ、前記流体流入部から流入する流体の流れにより回転する駆動羽根に連動して回転することを特徴とする電光装飾装置。
【請求項５】
前記透光性容器および前記透光性カバーの少なくとも一つが光散乱面または光屈折面を有することを特徴とする請求項１ないし請求項４のいずれか一項記載の電光装飾装置。
【請求項６】
前記流体が空気であることを特徴とする請求項１ないし請求項５のいずれか一項記載の電光装飾装置。
【発明の詳細な説明】
【０００１】
【発明の属する技術分野】
本発明は、かがり火または噴水を演出する電光装飾装置に関する。
【０００２】
【従来の技術】
劇場、ホテル、レストラン、イベント会場などにおいて建物の内外をかがり火や噴水を用いて演出する場合が多い。しかし、実際のかがり火や噴水を用いると装置が大がかりになり、また人が大勢集まる空間で実際のかがり火を焚くと安全上の問題や環境汚染の原因になる。
従来、実際のかがり火を模擬した装置として、例えば、水を霧化する霧発生手段を設け、発生した霧を拡散手段によってカップ状部材の上部で拡散させるとともに、下方の光照射手段から霧の拡散部に向けて着色光を照射し、この照射によってカップ状部材の上部にコロナ状の彩色部を形成するようにした装飾照明装置が開示されている（特許文献１参照）。
【０００３】
【特許文献１】
特開平１１−１８５５０１（段落［０００５］）
【０００４】
【発明が解決しようとする課題】
しかしながら、従来のかがり火などを模擬した装置は、霧発生装置などを必要とするため、装置が複雑化し、室内で長時間の使用が困難である。また、雨天時、外部での使用が困難であるなどの問題がある。
また、使用に際して安全で、かつ実際のかがり火や噴水に似た装置がないという問題がある。
本発明はこのような問題に対処するためになされたものであり、使用に際して安全で故障が少なく、全天候型のかがり火または噴水を演出する電光装飾装置の提供を目的とする。
【０００５】
【課題を解決するための手段】
請求項１に係る電光装飾装置は、透光性容器と、この透光性容器の流体流出口を覆って設けられた透光性カバーと、透光性容器と透光性カバーとの間に配設された透過光散乱部材とを備え、透光性容器はその内部に光源および流体流入部が設けられ、透過光散乱部材は、流体流出口に設けられ、流体流入部から流入する流体の流れにより回転する駆動羽根に連動して回転することを特徴とする。
【０００６】
請求項２に係る電光装飾装置は、透光性容器と、この透光性容器の流体流出口を覆って設けられた透光性カバーとを備え、透光性容器は、内部に光源が配設され、この光源を挟んで流体流出口の反対側に流体流入部を設け、この流体流入部から流入する流体の流れにより揺動する透過光揺動部材を光源の周囲に配設してなることを特徴とする。
また、上記流体流入部は、透過光揺動部材の下部に溝状に開けられた流体流入溝と、この流体流入溝に一定方向の流体流れを送る整流板と、流体流入溝の上を回転する転動体とを備えてなることを特徴とする。
【０００７】
請求項４に係る電光装飾装置は、透光性容器と、この透光性容器の流体流出口を覆って設けられた透光性カバーと、透光性容器と透光性カバーとの間に配設された透過光散乱部材とを備える。透光性容器には、内部に光源が配設され、この光源を挟んで流体流出口の反対側に流体流入部を設け、この流体流入部から流入する流体の流れにより揺動する透過光揺動部材を光源の周囲に配設してある。透過光散乱部材は、流体流出口に設けられ、透光性容器内に設けられた流体流入部から流入する流体の流れにより回転する駆動羽根に連動して回転する。以上のことを特徴としている。
【０００８】
上記本発明に係る電光装飾装置は、透光性容器および前記透光性カバーの少なくとも一つが光散乱面または光屈折面を有することを特徴とする。また、上記流体が空気であることを特徴とする。
【０００９】
透光性カバーを備えることにより、透光性容器内に雨水などが入り込まないので、全天候型として使用できる。また、透光性容器と透光性カバーとの間に、空気などの流体の流れにより回転する駆動羽根に連動して回転する透過光散乱部材を配設することにより、実際のかがり火のように炎が立ち上るように見える。
また、透光性容器内に光源を挟んで流体流出口と、その反対側に流体流入部を設けることにより、空気などの流体が流入部から流出口へと流れ、その流体の流れが光源の周囲に配設された透過光揺動部材を揺動させることにより、実際のかがり火のように炎が揺動するさまが見られる。
また光源の色調を青色などとすることで、水の揺らめく噴水を表現することができる。
【００１０】
【発明の実施の形態】
本発明の電光装飾装置の一例を図１および図２により説明する。図１は、電光装飾装置の分解斜視図を、図２は、図１におけるＡ−Ａ断面図をそれぞれ示す。
電光装飾装置１は、支持台８に支持された透光性容器下部２ｂと上面部に流体流出口２ｃを有する透光性容器上部２ａとに２つ割された透光性容器２と、透光性容器２の流体流出口２ｃの上部を覆うように、支持台８のステー部８ａに固定される透光性カバー３と、この透光性カバー３と透光性容器上部２ａとの間で、該上部２ａの流体流出口２ｃ上に、この流体流出口２ｃから排出される流体の流れにより回転する透過光散乱部材４とを備えている。
支持台８は、透光性容器２および透光性カバー３を支持するステー部８ａと、内部に流体路８ｄ、光源６への電力供給線などを含む支柱部８ｂと、土台部８ｃとからなる。
また、図２に示すように、透光性容器２の内部には、支持台８内の流体路８ｄと連結され、容器２内部に流体を流入させる流体流入部７と、該流体流入部７上に配設された光源６と、該光源６上部に固定された傘５ａに揺動可能に支持された透過光揺動部材５とが配設されている。また、上記透過光散乱部材４は、この傘５ａの中心に配設されたスラスト軸受５ｂに回転自在に支持されている。
【００１１】
流体としては、空気などの気体、または、水などの液体を用いることができる。流体として、空気などの気体を利用する場合では、土台部８ｃ内部、または、装置１の外部に送風機を設置し、流体路８ｄを通して流体流入部７から透光性容器２内部に供給する。また、水などの液体を用いる場合では、上記送風機に代えてポンプなどを利用する。
電光装飾装置１は、主に流体として空気を用いる。空気を用いることにより、光が透過光揺動部材５または透過光散乱部材４にあたり、揺動、散乱する。そのため、かがり火や噴水を容易に模擬できる。
【００１２】
電光装飾装置１の支持台８、透光性容器２などの各部位の大きさは任意の大きさとすることができる。例えば、装置１を店舗入口などの電光装飾として用いる場合は、実際のかがり火などと同様に、全体として、１〜２ｍ程度の高さとし、部屋内の装飾として用いる場合は、数十ｃｍの高さとすることができる。装置１の大きさによって、光源６およびその他の部位の材質などを適宜変更する。
以下に装置１を構成する各部位について詳説する。
【００１３】
透光性容器２の材料としては、その内部に配設される光源６からの光を、容器２の外部に透過できる透光性樹脂、ガラスなどを使用できる。特に支持台８にかかる負荷が小さく、成形しやすいなどの利点から透光性樹脂を用いることが好ましい。透光性樹脂としては、ポリスチレン樹脂、ポリカーボネート樹脂、メタクリル樹脂などが挙げられる。なお、透光性樹脂は、光が１００％透過するものである必要はなく、光が外部に散乱光として見える程度であってもよい。
透光性容器２は、その表面に光散乱面または光屈折面を有することが好ましい。該面を有することにより、容器２の外部へ透過する光が、光源６の光そのものでなく、かがり火などの自然の炎のように見せることができる。
光散乱面および光屈折面となる形状は、凸レンズを層状に並べた形状、小レンズを複数配置した形状、フレネルレンズ形状などがあり、図２に示すような凸レンズを層状に並べた形状が好ましい。
光散乱面および光屈折面は、透光性容器２の外面、内面いずれに形成してもよい。
【００１４】
透光性容器２の形状は、その内部に光源６、透過光揺動部材５、および流体流入部７とを配設でき、かつ、該流体流入部７より流入した流体を排出するための流体流出口２ｃを有していれば任意の形状とできる。楕円球状、球状などが、全周囲方向からの一律な外観を持たせることができ好適である。
図１および図２に示すように、容器２は、その上部２ａと下部２ｂとに分かれ、ボルトなどで締結されて構成される他、下部などその一部に上記各配設部材を入れるための開口部を有する、一体成形物などでもよい。該装置を屋外で利用する場合において、雨水などの侵入を完全に防げることから、流体流入部７の容器外部への連絡口および流出口２ｃ以外は閉じた形状であることが好ましい。
【００１５】
透光性カバー３は、支持台８のステー部８ａの上端部にボルトなどで締結される。透光性カバー３は、透光性容器２の流体流出口２ｃから流出した空気などを装置外部へ排出できるようにするため、容器２の外周面から離間して流体の通路を確保して配設する。その大きさは、雨水などが透光性カバー３の端部から、透光性カバー３と容器２との間を通って、流体流出口２ｃへ侵入しない程度とする。また、形状は、外観性に優れ、上記流体の流路を確保しやすいことから、容器２に合せた形状とすることが好ましく、半楕円球状、半球状などが好適である。
【００１６】
透光性カバー３の材料としては、透光性容器２と同様に、容器２内部の光を、装置外部に透過できる透光性樹脂、ガラスなどを使用できる。透光性容器２と同様の理由から表面または裏面に、凹凸形状などによる光散乱面または光屈折面を有することが好ましい。透光性容器２および透光性カバー３の双方を透過した光が、自然な炎などのように見えればよいので、光散乱面または光屈折面は、両部材のいずれか一方が有していれば十分である。
また、屋外での使用では、透光性カバー３は常に外気等に晒されるため、耐候性に優れた樹脂を用いる、または、表面にコーティングなどを施すことが好ましい。
【００１７】
図２に示すように、透光性カバー３で、透光性容器２の流体流出口２を覆うため、容器２の内部へ雨水などが侵入することを防止できる。この結果、容器２内部の光源６などの電気的部位が故障することを防げ、電光装飾装置１を全天候型として屋外で好適に利用することができる。
【００１８】
光源６は、電気により発光するものなら使用でき、例えば、白熱灯、蛍光灯、水銀灯、ナトリウム灯、ＬＥＤなどを用いることができる。使用する光源の明るさ、大きさなどは、電光装飾装置１の用途および大きさに合わせ適宜変更することができる。例えば、装置１が大型であり、屋外で用いる場合は蛍光灯などを、装置１が小型で部屋内で用いる場合は、ＬＥＤなどを用いる。また、光源６は、必要に応じて容器２の内部に複数個設置することができる。
光源６への電力供給は、外部電源より支持台８を通して行なう、または、装置１に内部電源を備えてそこから行なうことができる。装置１が大型で電源６の消費電力が大きく、それを長時間継続して点灯させる必要がある場合は、外部電源が好ましく、小型で部屋内などで用いる場合は、電池などの内部電源を用いることが好ましい。電源のＯＮ・ＯＦＦは直接、または、無線操作により行なうこともできる。
【００１９】
光源６の発光色は、装置１の用途によって変更でき、光源６自体の発光色を変更する他、光源６の周囲に設けられたカバー６ａを色付きのものとすることで色調整を行なう。
かがり火を模擬する場合には、光源６として白色蛍光灯を用い、その上部以外の周囲を橙色のカバー６ａで覆うことにより、側方向は全体的にはぼんやりとした橙色が、装置１上部では、光源から上部に抜けた白色光が透過光散乱部材４により反射・散乱され白色の炎の立ち上がりが表現でき、より自然な色となる。また、カバー６ａに青色、水色などを用いることにより、水が揺らめく噴水を模擬することができる。
【００２０】
透過光散乱部材４は、透光性容器２の流体流出口２ｃから流出する流体の流れにより回転する駆動羽根４ａと、該駆動羽根４ａが固定された軸４ｃを中心として円状に配置された複数の反射板４ｂとを有している。
図２に示すように、透過光散乱部材４は、その軸４ｃの下端部が、透過光揺動部材を支える傘５ａの中心部に設けられたスラスト軸受５ｂに回転自在に支持され、駆動羽根４ａが流体の収束通過部分である流体流出口２ｃの位置で軸４ｃに固定されている。
駆動羽根４ａは、流体流出口２ｃを通過する流体量が少ない場合でも、安定して回転できるようにするため、軽量とし、また、図に示す以外の形状として多段羽根形状とすることもできる。
【００２１】
反射板４ｂは、実際の炎などを模擬するために、不連続で複数枚あることが好ましい。具体的には、図１に示すように、円板に一定間隔で切り込みを入れ、折り曲げた形状などである。該形状とすることにより、透光性容器上部２ａを透過した、上方向に向かう光源６からの光が、回転する複数の反射板４ｂに当たって断続的に水平方向に反射されることにより、装置１の外部から見ると、実際のかがり火のように炎が立ち上るように見える。
【００２２】
透過光揺動部材５は、透光性容器２の内部で、光源６の周囲に揺動可能に配設さていればよい。一実施例として図１および図２に示すものでは、複数本の枝からなる傘５ａの各枝端部で、揺動補助部材５ｃを介して透過光揺動部材５を揺動可能に支持している。
透過光揺動部材５は、通過する流体量が少なく場合でも揺動しやすくするため、形状は薄板状とし、軽量な金属、樹脂などで成形したものを用いることが好ましい。また、揺動補助部材５ｃを介して吊り下げることで、流体の流量に対する揺動効率を向上させている。揺動補助部材５ｃとしては、釣りに用いられるクレンスイベルなどを好適に利用できる。
【００２３】
傘５ａは、光源６上部で、光源６からの光を遮らないように配設する。図２に示すように光源が１つである場合には、傘５ａの中心部を無色の透光性部材で形成する、または、開口部などを形成する。光源６が複数ある場合には、傘５ａの中心に軸を形成し、該軸を複数の光源６の間で挟持し固定することができる。
また、傘５ａの中心部には、上述の透過光散乱部材４を回転自在に支持するためのスラスト軸受５ｂが設けられている。上記複数の光源６で傘５ａの軸を挟持する場合では、その軸を中空とし、これをスラスト軸受５ｂとすることができる。
【００２４】
流体流入部７を図３を参照して説明する。図３（ａ）は、図２における流体流入部７の拡大図を、図３（ｂ）は図３（ａ）におけるＢ−Ｂ断面図をそれぞれ示す図である。
流体流入部７は、溝状に開けられた流体流入溝７ａと、この流体流入溝７ａに図中矢印Ｃ方向の流体流れを送る整流板７ｂと、流体流入溝７ａの上部で、転動体７ｃを転動自在に保持しつつ、流体流入溝７ａから流体が透光性容器２内部に流入できる開口部７ｅを有する転動体保持部７ｄとを備えている。
開口部７ｅの幅は、転動体７ｃが転動体保持部７ｄから脱しないように、転動体７ｃの直径よりも小さくする。なお、転動体７ｃは、任意の個数配置することができる。
【００２５】
整流板７ｂを図３（ｂ）に示すように配置することで、流体路８ｄから送られてきた流体が整流板７ｂにて図中矢印Ｃの方向に流れて流体流入溝７ａより吹き出し、この流れにより転動体７ｃが図中矢印Ｄの方向に転動体保持部７ｄに沿って転がる。
また、流体流入部７上の光源６を配設する部分に、開口部７ｆを設けることができる。これにより開口部７ｆからも流体が吹き出すため、流体として空気などを用いた場合では、発熱した光源６が該流れにより空冷される。この結果、光源の耐久寿命が延びる。
【００２６】
流体流入溝７ａは、転動体７ｃが上を通過中の部分で、流体の吹き出しが遮られるため、転動体７ｃの回転により流体流入部７の上部では、不規則な流体の流れが作り出される。よって、この流体流入部７から流入する流体の流れにより、流入部７の上部に配設した透過光揺動部材５が揺動し、光源６からの光を、不規則に遮蔽または散乱することで、炎や水などの揺らめく様を表現することができる。
【００２７】
電光装飾装置１における一連の空気の流れを図４を参照して説明する。図４は、図２と同様に、図１におけるＡ−Ａ断面図を示す。
空気の流れを図４に矢印で示す。送風機などから送られた空気は、流体路８ｄを通り、流体流入部７の整流板７ｂを通過後、流体流入溝７ａから、転動体７ｃにより不規則な周期で遮られつつ透光性容器２内部に流入する。空気は、透過光揺動部材５を揺動させた後、透光性容器上部２ａの流体流出口２ｃを通り、透過光散乱部材４の駆動羽根４ａを回転させる。流出口２ｃを通過後、容器２と透光性カバー３の間を通って、カバー３端部から装置外に排出される。
以上のように、本発明の電光装飾装置は、空気の流れのみで、各部位の揺動、回転などを行なわせることができるため、静音性に優れるとともに、機械的故障が発生しにくく耐久性・安全性に優れる。
【００２８】
耐久性、安全性をさらに向上させるため、光源ヒューズ、サーモスタットなどを光源に設けることにより、送風機などの故障などで温度が上昇した場合は、自動で電源を落とすなどの機能を持たせることができる。
【００２９】
【発明の効果】
請求項１に係る電光装飾装置は、透光性容器と、この透光性容器の流体流出口を覆って設けられた透光性カバーと、透光性容器と透光性カバーとの間に配設された透過光散乱部材とを備え、透光性容器はその内部に光源および流体流入部が設けられ、透過光散乱部材は、流体流出口に設けられ、流体流入部から流入する流体の流れにより回転する駆動羽根に連動して回転するので、実際のかがり火のように炎が立ち上るように見える。
【００３０】
請求項２に係る電光装飾装置は、透光性容器と、この透光性容器の流体流出口を覆って設けられた透光性カバーとを備え、透光性容器は、内部に光源が配設され、この光源を挟んで流体流出口の反対側に流体流入部を設け、この流体流入部から流入する流体の流れにより揺動する透過光揺動部材を光源の周囲に配設してなり、上記流体流入部は、透過光揺動部材の下部に溝状に開けられた流体流入溝と、この流体流入溝に一定方向の流体流れを送る整流板と、流体流入溝の上を回転する転動体とを備えてなるので、実際のかがり火のように炎が揺動するさまが見られる。
【００３１】
請求項４に係る電光装飾装置は、透光性容器と、この透光性容器の流体流出口を覆って設けられた透光性カバーと、透光性容器と透光性カバーとの間に配設された透過光散乱部材とを備え、透光性容器には、内部に光源が配設され、この光源を挟んで流体流出口の反対側に流体流入部を設け、この流体流入部から流入する流体の流れにより揺動する透過光揺動部材を光源の周囲に配設してあり、透過光散乱部材は、流体流出口に設けられ、透光性容器内に設けられた流体流入部から流入する流体の流れにより回転する駆動羽根に連動して回転するので、実際のかがり火のように炎が立ち上るように見え、かつ、実際のかがり火のように炎が揺動するさまが見られる。
また光源の色調を青色などとすることで、水の揺らめく噴水を表現することができる。
【図面の簡単な説明】
【図１】本発明の電光装飾装置の分解斜視図である。
【図２】図１におけるＡ−Ａ断面図である。
【図３】電光装飾装置の流体流入部の断面図である
【図４】電光装飾装置内部における流体の流れを示す図である。
【符号の説明】
１  電光装飾装置
２  透光性容器
３  透光性カバー
４  透過光散乱部材
５  透過光揺動部材
６  光源
７  流体流入部
８  支持台
【図１】
2004362833.tif 000003
【図２】
2004362833.tif 000004
【図３】
2004362833.tif 000005
【図４】
2004362833.tif 000006